(57)【要約】【課題】フック爪を介して掛け止めた部材のがたつき、ぐらつきを抑制するとともに、家具・什器類の美観、格調を高める。【解決手段】一の部材１に穿たれ上下方向に拡開したスリット１１、１２、１３、１４と、他の部材２に設けられスリット１１、１２、１３、１４に挿入されてスリット１１、１２、１３、１４の下側の開口縁に係合するフック爪２５と、外装部材３に設けられスリット１２、１４に挿入されてフック爪２５と一部重合しつつスリット１２、１４の上側の開口縁に係合する嵌挿片３７と、外装部材３に設けられ他の部材２の上動を係止する係止体３２とを具備する構造とした。【選択図】図４
2009165649.tif 000002
【特許請求の範囲】
【請求項１】
一の部材の取着部に他の部材の被取着部を取着しさらに外装部材を装着する構造であって、
前記取着部に穿たれ所定の拡開方向に拡開した一または複数のスリットと、
前記被取着部に設けられ前記一の部材に向けて突出した基部及び前記拡開方向に略沿って伸長した先端部を有し前記スリットに挿入されてその基部が当該スリットにおける拡開方向に対向する開口縁の一方に係合するフック爪と、
前記外装部材に設けられ前記一の部材に向けて突出し前記スリットに挿入されて当該スリットにおける拡開方向に対向する開口縁の他方に係合する嵌挿片と、
前記外装部材に設けられ前記フック爪の基部の前記スリットの開口縁の一方からの離反を阻むように前記他の部材を係止する係止体と
を具備した部材の取着構造。
【請求項２】
前記外装部材が前記他の部材の被取着部を略隠蔽する請求項１記載の部材の取着構造。
【請求項３】
前記嵌挿片は前記フック爪が係合するスリットに挿入されてフック爪と少なくとも一部略重合しつつ前記開口縁の他方に係合する請求項１または２記載の部材の取着構造。
【請求項４】
前記スリットは上下方向に拡開し、前記フック爪の基部はスリットの下縁に係合するものであり、
前記係止体は前記他の部材の上動を阻むべく他の部材に上方から当接する下向面を有している請求項１、２または３記載の部材の取着構造。
【請求項５】
前記他の部材に上方に開放した切欠部が形成され、
前記係止体の先端部から下方に垂下した屈曲部が前記切欠部に係合する請求項４記載の部材の取着構造。
【請求項６】
前記外装部材に上方に突出し弾性変形を通じて突没可能な係合部材が設けられ、
前記係合部材が前記他の部材の下端部に係合する請求項４または５記載の部材の取着構造。
【発明の詳細な説明】
【技術分野】
【０００１】
本発明は、家具・什器類の構成部材の取着の構造に関する。
【背景技術】
【０００２】
部材同士を結合する手法として、一の部材にスリットを穿ち、他の部材に設けたフック爪をそのスリットに掛け止める構造がしばしば採用される（例えば、下記特許文献を参照）。このような構造によれば、部材を着脱自在とすることができる。
【特許文献１】特開２００２−１２５７７１号公報
【発明の開示】
【発明が解決しようとする課題】
【０００３】
上述の取着構造を用いる場合、一の部材に取着した他の部材ががたついたりぐらついたりするおそれがある。部材のがたつき、ぐらつきを抑制するためには、例えばボルト、ビス等の締結具を介して両部材を締結することが考えられる。しかしながら、部材に締結具の挿通孔や座ぐり、雌ねじ穴等を形成する工数を要し、部材の着脱の際にドライバ等の工具を以て締結具を操作する手間もかかる。
【０００４】
また、一の部材のスリットに他の部材のフック爪を掛け止める取着構造では、一の部材の外面と他の部材の（一の部材の外面に臨む）縁辺とが密接せず、両部材の間に多少の隙間を生ずることがある。さすれば、家具・什器としての美観、格調を損ないかねない。
【０００５】
以上に鑑みてなされた本発明は、簡便な構成で部材のがたつき、ぐらつきを抑制するとともに、家具・什器類の美観、格調を高めることを所期の目的としている。
【課題を解決するための手段】
【０００６】
本発明では、一の部材の取着部に他の部材の被取着部を取着しさらに外装部材を装着する構造であって、前記取着部に穿たれ所定の拡開方向に拡開した一または複数のスリットと、前記被取着部に設けられ前記一の部材に向けて突出した基部及び前記拡開方向に略沿って伸長した先端部を有し前記スリットに挿入されてその基部がスリットにおける拡開方向に対向する開口縁の一方に係合するフック爪と、前記外装部材に設けられ前記一の部材に向けて突出し前記スリットに挿入されて当該スリットにおける拡開方向に対向する開口縁の他方に係合する嵌挿片と、前記外装部材に設けられ前記フック爪の基部の前記スリットの開口縁の一方からの離反を阻むように前記他の部材を係止する係止体とを具備した部材の取着構造を構築した。
【０００７】
このようなものであれば、ボルト、ビス等の締結具を使用することなく、他の部材並びに外装部材の一の部材に対するがたつき、ぐらつきを抑制できる。また、取着部の外面と被取着部の（取着部に臨む）縁辺との間に生ずる隙間を前記外装部材によって隠蔽し、これを露見させなくすることが可能であり、家具・什器類の美観、格調を高めることもできる。
【０００８】
前記外装部材は、前記他の部材の被取着部を略隠蔽するものとすることが好ましい。
【０００９】
前記嵌挿片が、前記フック爪が係合するスリットに挿入され、そのフック爪と少なくとも一部略重合しつつ前記開口縁の他方に係合する構造とすれば、フック爪と嵌挿片とが同じスリット内で略重合してスリットの開口縁に係合することから、フック爪を挿入するスリットと嵌挿片を挿入するスリットとを別々に穿設する必要がなく、スリットの拡開幅も徒に大きくとる必要がない。故に、部材の取着部の弱体化を回避できる。しかも同時に、フック爪及び嵌挿片を、スリットにおける前記拡開方向とは交差する方向に対向する開口縁にそれぞれ係合させることも可能である。この場合には、がたつき、ぐらつきの抑制効果が一層向上する。
【００１０】
通常、前記スリットは上下方向に拡開し、前記フック爪の基部はスリットの下縁に係合するものであり、前記係止体は前記他の部材の上動を阻むべく他の部材に上方から当接する下向面を有している。
【００１１】
前記他の部材に上方に開放した切欠部が形成され、前記係止体の先端部から下方に垂下した屈曲部が前記切欠部に係合する構造とすれば、前記外装部材の前記他の部材からの不意の脱落を予防できる。
【００１２】
前記外装部材に上方に突出し弾性変形を通じて突没可能な係合部材が設けられ、前記係合部材が前記他の部材の下端部に係合するならば、嵌挿片のスリットからの抜出を予防でき、構造が安定化する。
【発明の効果】
【００１３】
本発明によれば、簡便な構成で、フック爪を介して掛け止めた部材のがたつき、ぐらつきを抑制することができる。
【発明を実施するための最良の形態】
【００１４】
以下、本発明の一実施形態を、図面を参照して説明する。説明の明解化のため、ここでは家具本体１の収納空間の開放する方向を前方、取着部を設定した面の向く方向を後方と定義する。
【００１５】
図１ないし図４に示すものは、本発明を適用した家具、特に執務空間等においてデスクとともに使用する収納家具（ワゴン）である。この収納家具は、物品を収納可能な収納空間を包有する家具本体１と、家具本体１の起立した外面に着脱可能なオプション部材２とを主要な構成要素とする。
【００１６】
家具本体１は筐体状をなし、その収納空間は前方に開放している。本実施形態では、この収納家具の背面の両側部位をそれぞれ取着部とし、所定の拡開方向即ち上下方向に拡開したスリット１１、１２、１３、１４を穿設している。各取着部におけるスリット１１、１２、１３、１４は左右に対をなし、それらの対が上下方向に間欠的に複数並んでいる。
【００１７】
オプション部材２は、例えば家具本体１の上方に配される補助テーブルである。図５等に示すように、この補助テーブル２は、上下に延伸した支柱２１と、支柱２１の上端部に固定した天板受け２２と、天板受け２２に載置した天板２４とを備える。
【００１８】
支柱２１は、左右一対存在し、それぞれが略角柱状の概形をなす。図１０に示すように、支柱２１の下端部には、下方に開放した凹欠部２６を設けている。なお、支柱２１の下端部における背面側を切り落としてある。本実施形態では、支柱２１の上端部を除く大半部分を被取着部とし、フック爪２５を突設している。フック爪２５は、前方に突出した基部２５１とスリット１１、１２、１３、１４の拡開方向に沿って下方に伸長した先端部２５２とが側面視略「字形をなし、その基部２５１をスリット１１、１２、１３、１４の下側の開口縁に係合せしめるものである。図４、図５、図１１等に示すように、フック爪２５は、左右の支柱２１の外側縁近傍、支柱２１の中間部及び下部に、計四個設けてある。
【００１９】
天板受け２２は、後端部が支柱２１に接合し、そこから前方に延伸しているもので、支柱２１と同様に左右一対存在する。天板受け２２と支柱２１とが交差する入隅には、側面視三角板状の補強２３を設けている。天板受け２２の後端部と天板２４の下面とは上下方向に離間しており、その後端部に上方に開放した切欠部２７を形成している。切欠部２７の後縁は、支柱２１の前縁と略同一線上にある。
【００２０】
家具本体１に補助テーブル２を取着するには、四方に散開した四つのスリットの組１１、１２、１３、１４に、四個のフック爪２５をそれぞれ挿入して掛け止める。因みに、補助テーブル２の高さは変更が可能である。図１、図３に示すように、下寄りのスリットの組１２、１４にフック爪２５を係合させた場合、補助テーブル２の天板面は一般的なデスクの天板面と略面一な高さとなる。図２に示すように、上寄りのスリットの組１１、１３にフック爪２５を係合させた場合、補助テーブル２の天板面は一般的なデスクの天板面よりも高位置となる。補助テーブル２の取着位置の変更も可能である。即ち、補助テーブル２を左方に配置したければ左側の取着部のスリット１１、１２にフック爪２５を係合させればよく、右方に配置したければ右側の取着部のスリット１３、１４にフック爪２５を係合させればよい。
【００２１】
しかして、本実施形態では、フック爪２５を介して掛け止めた支柱２１の上から外装部材たるパネル３を装着するようにしている。
【００２２】
図４、図６、図７等に示すように、パネル３は、面板３１の上下左右をそれぞれ前方に折り曲げて上板３２、底板３３及び左右の側板３４を成形した略角盆状の概形をなす。上板３２の先端部即ち前端部は下方に屈曲して垂下している。図９、図１０に示すように、上板３２と底板３３との離間距離は、天板受け２２の後端部の上縁と支柱２１の下縁との距離よりも大きい。また、図８、図１１に示すように、左右の側板３４の離間距離は、左右一対の支柱２１の外法に略一致する。このパネル３は、家具本体１に掛け止めた支柱２１を被覆することができる。
【００２３】
パネル３の内空、面板３１の前面には、扁平箱状の補強材３５を接合している。補強材３５の幅はパネル３のそれよりも小さく、補強材３５の側縁とパネル３の側板３４との間には支柱２１の幅寸法程度の空隙が介在する。図８に示すように、この空隙に、左右の支柱２１がそれぞれ収まる。上板３２における、補強材３５と側板３４との空隙の直上にあたる部位は、天板受け２２の後端部に当接して上方から補助テーブル２を押さえる係止体となる。係止体３２の前端部から垂下した屈曲部３６は、天板受け２２の後端部に形成した切欠部２７の後縁に前方から係合する。
【００２４】
パネル３の側板３４には、上下方向に伸長した嵌挿片３７を固設している。図６、図７等に示すように、嵌挿片３７は左右に対をなし、それぞれが側板３４の前縁よりも前方に突出している。嵌挿片３７の高さ位置は、その下部が下側のフック爪２５と重合し、上縁がスリット１２、１４の上側の開口縁に係合するように設定する。嵌挿片３７の上縁と前縁とがなす隅角は、Ｒをとってある。
【００２５】
図７、図１０等に示すように、補強材３５と側板３４との空隙の直下、嵌挿片３７よりも下方の箇所には、係合部材３９を配設している。係合部材３９は、面板３１の前板に接合しつつ前方に伸長する基材３８と一体化した例えば樹脂成形品で、基材３８を足場として上方に突出し、弾性変形を通じて突没変位することが可能である。係合部材３９もまた、左右一対存在している。係合部材３９の上縁は、支柱２１の下縁よりも若干上方に位置する。
【００２６】
パネル３を装着するに際しては、パネル３の上板３２を天板受け２２と天板２４との間に差し入れ、係止体３２を天板受け２２の後端部に被せるようにして屈曲部３６を切欠部２７に挿入する。次いで、パネル３の上部を回転中心として下部を前方に回動させるように押し込む。すると、図９ないし図１１に示すように、嵌挿片３７が下側のフック爪２５が係合しているスリット１２、１４に挿入され、その上縁が同スリット１２、１４の上側の開口縁に緊密に係合する。並びに、図８に示すようにパネル３の補強材３５と側板３４との間隙に支柱２１が収容されるとともに、図９、図１０に示すように基材３８が支柱２１の下端部の背面側の欠損箇所に収容される。そして、係合部材３９が弾性変形を通じ一旦没入して支柱２１の下端部の凹欠部２６の後縁を乗り越えた後、再度突出して凹欠部２６内に進入、凹欠部２６の後縁に係合する。係止体３２の下向面は天板受け２２の後端部の上縁に当接し、屈曲部３６の後向面は切欠部２７の後縁に係合する。
【００２７】
パネル３の装着が完了した状態で、パネル３の側板３４及び底板３３の前縁は、取着部となった家具本体１の背面に密接または極近接する。パネル３の上板３２は被取着部となった補助テーブル２の支柱２１を上方から遮蔽し、側板３４は支柱２１を側方から遮蔽し、底板３３は支柱２１を下方から遮蔽する。
【００２８】
嵌挿片３７とスリット１２、１４との係合によりパネル３の上動が阻まれ、屈曲部３６と切欠部２７との係合、係合部材３９と凹欠部２６との係合によりパネル３の後方への脱落が阻まれる。加えて、係止体３２と天板受け２２との係合により、補助テーブル２の上動も阻まれる。結果、補助テーブル２及びパネル３のがたつき、ぐらつきが効果的に抑制される。さらには、図１１に示すように、フック爪２５の外方に嵌挿片３７が重合し、フック爪２５の内方側面がスリット１２、１４の内方側の開口縁に係合しかつ嵌挿片３７の外方側面がスリット１２、１４の外方側の開口縁に係合することで、がたつき、ぐらつきが殆どなくなる。
【００２９】
家具本体１から補助テーブル２を取り外すには、上記と真逆の操作を行って装着しているパネル３を取り外し、しかる後にフック爪２５をスリット１１、１２、１３、１４から抜出すればよい。
【００３０】
本実施形態によれば、一の部材１の取着部に他の部材２の被取着部を取着しさらに外装部材３を装着する構造であって、前記取着部に穿たれ所定の拡開方向に拡開したスリット１１、１２、１３、１４と、前記被取着部に設けられ前記一の部材１に向けて突出した基部２５１及び前記拡開方向に略沿って伸長した先端部２５２を有し前記スリット１１、１２、１３、１４に挿入されてその基部２５１がスリット１１、１２、１３、１４における拡開方向に対向する開口縁の一方に係合するフック爪２５と、前記外装部材３に設けられ前記一の部材１に向けて突出し前記スリット１２、１４に挿入されて当該スリット１２、１４における拡開方向に対向する開口縁の他方に係合する嵌挿片３７と、前記外装部材３に設けられ前記フック爪２５の基部２５１の前記スリット１１、１２、１３、１４の開口縁の一方からの離反を阻むように前記他の部材２を係止する係止体３２とを具備した部材の取着構造を構築したため、ボルト、ビス等の締結具を使用することなく、他の部材２並びに外装部材３の一の部材１に対するがたつき、ぐらつきを抑制できる。また、スリット１１、１２、１３、１４にフック爪２５を掛け止める取着構造では、取着部の外面と被取着部の取着部に臨む縁辺とが密接せず、両部材１、２１の間に多少の隙間を生ずることがあるが、この隙間を外装部材３で隠蔽し露見させなくすることができるので、家具・什器としての美観、格調も高まる。
【００３１】
本実施形態では、前記外装部材３で前記他の部材２の被取着部を略隠蔽するようにしているため、望ましい外観を提示することができる。
【００３２】
フック爪２５と嵌挿片３７とが同じスリット１２、１４内で一部略重合してスリット１２、１４の開口縁に係合することから、フック爪２５を挿入するスリット１２、１４と嵌挿片３７を挿入するスリット１２、１４とを別々に穿設する必要がなく、スリット１２、１４の拡開幅も徒に大きくとる必要がない。故に、部材１の取着部の弱体化を回避できる。しかも同時に、フック爪２５及び嵌挿片３７を、スリット１２、１４における前記拡開方向とは交差する方向に対向する開口縁にそれぞれ係合させることも可能であり、がたつき、ぐらつきの抑制効果が一層向上する。
【００３３】
前記スリット１１、１２、１３、１４が上下方向に拡開し、前記フック爪２５の基部２５１がスリット１１、１２、１３、１４の下縁に係合するものであり、前記係止体３２が前記他の部材２の上動を阻むべく他の部材２に上方から当接する下向面を有しているため、各種オプション部材を取着する構造として汎用的に用いることができる。
【００３４】
前記他の部材２に上方に開放した切欠部２７が形成され、前記係止体３２の先端部から下方に垂下した屈曲部３６が前記切欠部２７に係合する構造としたため、前記外装部材３の前記他の部材２からの不意の脱落を予防できる。
【００３５】
前記外装部材３に上方に突出し弾性変形を通じて突没可能な係合部材３９が設けられ、前記係合部材３９が前記他の部材２の下端部に係合する構造としたため、嵌挿片３７のスリット１２、１４からの抜出を予防でき、構造が安定化する。
【００３６】
なお、本発明は以上に詳述した実施形態に限られるものではない。上記実施形態では、家具本体の背面に取着部を設定してオプション部材及びパネルを取着することとしていたが、家具本体の側面に取着部を設定、スリットを穿設してオプション部材及びパネルを取着しても構わない。
【００３７】
パネルに、取り外し時に把持できる把手部を設けてもよい。例えば、面板の下部や底板を一部切り欠いて、手指を挿入できるようにすることが考えられる。
【００３８】
スリットの拡開方向とは交差する方向に重合するフック爪及び嵌挿片が、同方向に対向するスリットの開口縁に必ず係合するとは限られない。
【００３９】
フック爪と嵌挿片とが必ず重合するとも限られない。また、フック爪を挿入しているスリットとは別のスリットに嵌挿片を挿入することを妨げない。
【００４０】
スリットの拡開方向は上下方向に限定されない。スリットが幅方向に拡開しており、フック爪の基部が同方向に対向するスリットの開口縁の一方に、嵌挿片が他方に係合する態様をとることもできる。
【００４１】
その他各部の具体的構成は、本発明の趣旨を逸脱しない範囲で種々変形が可能である。
【図面の簡単な説明】
【００４２】
【図１】本発明の一実施形態における家具を示す斜視図。
【図２】同実施形態における家具の斜視図。
【図３】同実施形態における家具の斜視図。
【図４】同実施形態における家具の構成部材の分解斜視図。
【図５】オプション部材の側面図。
【図６】外装部材の側面図。
【図７】外装部材の正面図。
【図８】オプション部材に外装部材が組み付いた状態を示す正面図。
【図９】同実施形態の部材の取着構造を示すＡ−Ａ線側断面図。
【図１０】同実施形態の部材の取着構造を示すＢ−Ｂ線側断面図。
【図１１】同実施形態の部材の取着構造を示す要部平端面図。
【符号の説明】
【００４３】
１…一の部材
１１、１２、１３、１４…スリット
２…他の部材
２５…フック爪
２５１…基部
２５２…先端部
２７…切欠部
３…外装部材
３２…係止部
３６…屈曲部
３７…嵌挿片
３９…係合部材
【図１】
2009165649.tif 000003
【図２】
2009165649.tif 000004
【図３】
2009165649.tif 000005
【図４】
2009165649.tif 000006
【図５】
2009165649.tif 000007
【図６】
2009165649.tif 000008
【図７】
2009165649.tif 000009
【図８】
2009165649.tif 000010
【図９】
2009165649.tif 000011
【図１０】
2009165649.tif 000012
【図１１】
2009165649.tif 000013